(57)【要約】【課題】基地局施設を管理する通信事業者が入退局の管理を容易にでき、鍵の管理が不要で、セキュリティの向上が図れる入局管理システムを提供する。【解決手段】入局管理サーバは、予め複数の携帯端末に入局管理アプリケーションを送信し、携帯端末は、入局管理アプリケーションをインストールして入局管理サーバに予め登録を行うとともに、施設への入局申請を行い、入局管理サーバは、登録および入局申請情報をデータベースに格納し、入局申請に対してパスワードを発行してデータベースに格納するとともに携帯端末にパスワードを送信し、施設に到着した携帯端末から位置情報を受信すると、受信した位置情報と入局申請情報と施設の位置情報を照合し、一致している場合に、施設の電子暗号錠に、携帯端末宛てに発行したパスワードを送信する。【選択図】  図５
2016224577.tif 000002
【特許請求の範囲】
【請求項１】
パスワードを入力することで解錠される電子錠で施錠された一つ以上の施設への入局を管理する入局管理システムであって、前記施錠された施設の位置情報を有する入局管理サーバと、複数の携帯端末とを有し、
前記入局管理サーバは、予め前記複数の携帯端末に入局管理アプリケーションを送信し、
前記携帯端末は、受信した前記入局管理アプリケーションにより、前記入局管理サーバに対して、予め登録を行うとともに、前記施錠された施設への入局申請情報を送信し、
前記入局管理サーバは、前記登録および前記入局申請情報をデータベースに格納し、前記入局申請情報を送信してきた携帯端末に対し、パスワードを発行して前記データベースに格納するとともに前記パスワードを送信し、前記入局申請情報を送信してきた携帯端末から位置情報を受信すると、受信した位置情報と前記入局申請情報と前記施設の位置情報を照合し、一致している場合に、前記施設の電子錠に、前記パスワードを送信することを特徴とする入局管理システム。
【請求項２】
請求項１に記載の入局管理システムであって、前記携帯端末は、初期登録時に、前記携帯端末の情報として、前記携帯端末のメールアドレスを含む携帯端末情報を送信し、
前記入局管理サーバは、前記パスワードを、メールにより前記携帯端末のメールアドレス宛てに送信することを特徴とする入局管理システム。
【請求項３】
請求項１に記載の入局管理システムであって、前記携帯端末は、入局申請情報として、入局対象施設情報、入局期間を含めて送信し、
前記入局管理サーバは、受信した位置情報と前記入局対象施設情報と前記施設の位置情報を照合するとともに、前記位置情報を受信した日時と、前記入局期間を照合し、位置情報および日時が前記入局申請情報に含まれた入局対象施設の位置情報および入局期間と一致している場合に、前記施設の電子錠に、前記パスワードを送信することを特徴とする入局管理システム。
【請求項４】
パスワードを入力することで解錠される電子錠で施錠された一つ以上の無線基地局施設への入局を管理する入局管理方法であって、
前記施錠された施設の位置情報を有する入局管理サーバは、予め複数の携帯端末に入局管理アプリケーションを送信し、
前記携帯端末は、受信した前記入局管理アプリケーションにより、前記入局管理サーバに対して、予め登録を行うとともに、前記施錠された施設への入局申請情報を送信し、
前記入局管理サーバは、前記登録および前記入局申請情報をデータベースに格納し、前記入局申請情報を送信してきた携帯端末に対し、パスワードを発行して前記データベースに格納するとともに前記パスワードを送信し、前記入局申請情報を送信してきた携帯端末から位置情報を受信すると、受信した位置情報と前記入局申請情報と前記施設の位置情報を照合し、一致している場合に、前記施設の電子錠に、前記パスワードを送信することを特徴とする入局管理方法。
【請求項５】
請求項４に記載の入局管理方法であって、前記携帯端末は、初期登録時に、前記携帯端末の情報として、前記携帯端末のメールアドレスを含む携帯端末情報を送信し、
前記入局管理サーバは、前記パスワードを、メールにより前記携帯端末のメールアドレス宛てに送信することを特徴とする入局管理方法。
【請求項６】
請求項４に記載の入局管理方法であって、前記携帯端末は、入局申請情報として、入局対象施設情報、入局期間を含めて送信し、
前記入局管理サーバは、受信した位置情報と前記入局対象施設情報と前記施設の位置情報を照合するとともに、前記位置情報を受信した日時と、前記入局期間を照合し、位置情報および日時が前記入局申請情報に含まれた入局対象施設の位置情報および入局期間と一致している場合に、前記施設の電子錠に、前記パスワードを送信することを特徴とする入局管理方法。
【発明の詳細な説明】
【技術分野】
【０００１】
本発明は、無線基地局施設への作業者の入局を管理する技術に関する。
【背景技術】
【０００２】
今まで、鉄塔局のような無線基地局施設内へ作業者が立ち入る（入局する）際は、局舎または外構施設の入口についている南京錠を解錠して入局していた。この南京錠を解錠する鍵を全無線基地局施設共通の鍵とする場合があるが、そうすると、共通の鍵を1本でも紛失してしまうと、全無線基地局施設の南京錠の交換が必要な事態になりかねず、共通の鍵を入念に管理する必要があり、コストがかかっていた。
【０００３】
無人の無線局への入局、退局を遠隔かつ適正に管理することを目的とした技術として、特許文献1に記載された技術がある。特許文献１においては、無線局装置は、入局者が入局する際に局外リーダで読み取られた識別情報が、予め登録された識別情報と一致する場合には、識別情報に基づく入局情報をセンタ装置に送信するとともに、所定時間後における入局ドアの開閉信号をセンタ装置に送信する。無線局装置は、予め登録された識別情報と一致しない場合にはセンタ装置に警報信号を送信する。センタ装置は、入局情報を受信すると、この入局情報に基づいて入局記録を作業管理データベースに記憶する。
【先行技術文献】
【特許文献】
【０００４】
【特許文献１】特開２０１３−１４８９８５号公報
【発明の概要】
【発明が解決しようとする課題】
【０００５】
前述のように、無線基地局の工事作業や、点検およびメンテナンス等で無線基地局施設内へ入局する際、共通の鍵を紛失してしまうと全無線基地局施設の南京錠を交換することになりかねない。特許文献１の入局管理システムでは、カードを紛失してしまうと、すでに貸出中のカードもすべて回収し、カード情報の再設定を実施しないといけない手間がある。
【０００６】
本発明は、上記課題を解決するためになされたもので、鍵を紛失する心配がなく、無線基地局施設を管理する通信事業者が入退局の管理を容易にでき、セキュリティの向上が図れる無線基地局施設への入局管理システムおよび方法を提供することを目的とする。
【課題を解決するための手段】
【０００７】
上記課題を解決するため、本発明は、一例として、施錠された施設の位置情報を有する入局管理システムと、複数の携帯端末がある。入局管理システムは、予め複数の携帯端末に入局管理アプリケーションを送信し、携帯端末は、受信した入局管理アプリケーションをインストールし、入局管理システムに初期登録を行うとともに、施錠された施設への入局（作業）申請情報を送信する。入局管理サーバは、初期登録および入局申請情報をデータベースに格納し、入局申請に対して入局パスワードを発行してデータベースに格納するとともに入局申請を送信してきた携帯端末に入局パスワードを送信する。携帯端末から位置情報を受信すると、受信した位置情報と入局申請情報と施設の位置情報を照合し、一致している場合だけ、施設の電子暗号錠に、入局パスワードを送信し、設定登録するようにしたものである。
【発明の効果】
【０００８】
本発明の入局管理システムおよび方法によれば、鍵を紛失する心配がなく、無線基地局施設を管理する通信事業者が入退局の管理を容易にでき、セキュリティの向上を図ることができる。
【図面の簡単な説明】
【０００９】
【図１】本発明の一実施例における情報管理登録システムの構成を説明する図である。
【図２】本発明の一実施例におけるパスワード発行管理システムの構成を説明する図である。
【図３】本発明の一実施例における端末位置情報認証管理システムの構成を説明する図である。
【図４】本発明の一実施例における作業者の端末の構成を説明する図である。
【図５】本発明の位置実施例における各システムと作業者の端末間で送受信されるデータを説明する図である。
【図６】情報管理登録システムにおける初期登録処理を説明するフローチャートである。
【図７】端末における作業申請処理を説明するフローチャートである。
【図８】端末における入局パスワードの発行処理を説明するフローチャートである。
【図９】端末位置情報認証管理システムにおける端末位置情報の認証および入局パスワードの有効化処理を説明するフローチャートである。
【図１０】情報管理登録システムが有する３つのテーブルの一例を説明する図である。
【図１１】入局パスワード発行管理システムが有する２つのテーブルの一例を説明する図である。
【図１２】端末位置情報認証管理システムが有する５つのテーブルの一例を説明する図である。
【発明を実施するための形態】
【００１０】
以下、本発明の実施の形態を説明する。
まず、本実施形態の概要を説明する。本実施形態では、通信事業者（管理者）側に情報管理登録システム１、入局パスワード発行管理システム２、端末位置情報認証管理システム３の３つのシステムを構築し、無線基地局施設へ入局しようとする作業者は、これらのシステムを利用して、管理者に対して入局申請を行う。入局申請としては、例えば、作業者情報等の登録、作業内容申請、入局パスワード（入局時に電子暗号錠を解錠するためのパスワード）の発行依頼を行う。情報管理登録システム１、入局パスワード発行管理システム２、端末位置情報認証管理システム３の３つのシステムは、例えば、一つの入局管理システム（またはサーバ）上に構築してもよいし、複数のシステム（またはサーバ）上で実現してもよい。  そのため、まず、管理者は、全作業者に対し、携帯端末用アプリケーションを配布する。作業者は、受信したアプリケーションを各自の端末にインストールし、情報管理登録システム１にアクセスして作業者および端末情報１１の初期登録を行う。初期登録が問題なく完了後、情報管理登録システム１がアカウント情報１２を作業者へ付与するとともに作業者にそのアカウント情報を送信する。
【００１１】
次に、作業者は、作業予定のある際に、インストールしておいたアプリケーション起動して、作業申請情報１３を情報管理登録システム１へ送信して登録する。作業申請情報が登録されると、情報管理登録システム１は、管理者へ承認依頼を行う。作業申請を行った作業者は、入局パスワード発行管理システム２へログインし、作業申請の承認完了分のチェックを行い、承認が完了している作業申請があれば、パスワード発行ボタンを押す。入局パスワード発行管理システム２は、作業者のこの処理により、入局パスワード２２をランダムに生成し作業者へ送付する。
【００１２】
作業当日、作業者は、無線基地局施設の入口に到着すると、端末の位置情報を端末位置情報認証管理システム３にアップロードする。端末位置情報認証管理システム３は、端末位置情報認証管理システム３が持っている無線基地局施設の位置情報３４と端末から受信した位置情報を比較し、それらが一致すれば、入局パスワードを無線基地局施設の電子暗号錠６へ送信し、設定登録する。作業者が入局パスワードを無線基地局施設の入口に設置された電子暗号錠に入力すると、解錠できる。入局パスワードの有効期限は、予め作業申請時に申請してある作業期間中のみであるため、作業期間を過ぎると、端末位置情報認証管理システム３は、無線基地局施設の電子暗号錠６へ入局パスワードのキャンセル処理を行う。
【００１３】
以下、図１〜図１２を用いて、本発明の実施例を説明する。
図１は、本発明の一実施例における情報管理登録システムの構成を説明する図である。
情報管理登録システムは、ＣＰＵ１０１、各処理を実行するためのソフトウェア等を格納したメモリ１０２、本システムを管理する管理者に対する画面の表示などインターフェース処理を行うユーザーインターフェース１０３、図１０を用いて後述する各種テーブル等を格納したデータベース１０４、通信回線を介して本実施例の他のシステムや端末と通信を行うための通信インターフェース１０５、図示していないが、管理者が情報を確認したり入力を行ったりするための入出力装置など基本なハードウェアを備えている。データベース１０４には、作業者・端末情報テーブル１１、アカウント情報テーブル１２、作業申請登録情報テーブル１３の３つのテーブルがある。これらのテーブルについては、図１０で説明する。作業者は端末５を使い、通信ネットワーク４を経由し、情報管理登録システム１と通信し情報交換を行う。
【００１４】
図２は、本発明の一実施例におけるパスワード発行管理システムの構成を説明する図である。
入局パスワード発行管理システムは、ＣＰＵ２０１、各処理を実行するためのソフトウェア等を格納したメモリ２０２、図１１を用いて後述する各種テーブル等を格納したデータベース２０３、通信回線を介して本実施例の他のシステムや端末と通信を行うための通信インターフェース２０４を備える。データベース２０３には、アカウント情報テーブル１２と入局パスワードテーブル２２の２つのテーブル図１１がある。アカウント情報テーブル１２は、情報管理登録システムのアカウント情報テーブル１２と同じ内容が記憶されている。
【００１５】
図３は、本発明の一実施例における端末位置情報認証管理システムの構成を説明する図である。
端末位置情報認証管理システムは、ＣＰＵ３０１、各処理を実行するためのソフトウェア等を格納したメモリ３０２、本システムを管理する管理者に対する画面の表示などインターフェース処理を行うユーザーインターフェース３０３、図１２を用いて後述する各種テーブル等を格納したデータベース３０４、通信回線を介して本実施例の他のシステムや端末、電子暗号錠と通信を行うための通信インターフェース３０５を備える。
【００１６】
データベース３０４には、入局パスワードテーブル２２、アカウント情報テーブル１２、作業登録情報テーブル１３、無線基地局施設の位置情報（緯度経度）テーブル３４、端末位置情報（緯度経度）テーブル３５の５つのテーブルを有する。入局パスワードテーブル２２、アカウント情報テーブル１２、作業登録情報テーブル１３は、情報管理登録システムのアカウント情報テーブル１２および作業登録情報テーブル１３、入局パスワード発行管理システムの入局パスワードテーブル２２と同じ内容が記憶されている。これらのテーブルの詳細については図１２を用いて説明する。そのほか、入局パスワードを無線基地局施設の電子暗号錠に設定登録する装置生成３６を備え、本実施例の入局管理システムの心臓部となる。入局パスワード設定登録部３６は、作業者の端末５が予め作業申請がされた作業期間中に予め作業申請がされた対象の無線基地局施設に到着した時のみ、通信ネットワーク４を経由し、無線基地局施設の入り口に設置された電子暗号錠６へ入局パスワードを送信し設定登録を行う。また、端末位置情報認証管理システム３は、予め作業申請された作業予定期間を過ぎると、無線基地局施設の入り口の電子暗号錠６に対し入局パスワードのキャンセル処理を行う。このようにして、本実施例のアプリケーションをインストールした端末５を所有する作業者が予め作業登録した無線基地局施設の入口に到着すると、端末５の位置情報及び予め発行された入局パスワードを使って無線基地局施設の入り口に設置された電子暗号錠６を解錠できる。作業者端末５、電子暗号錠６と本実施例の各システムとの間のデータのやり取りは、通信ネットワーク４経由で実施する。
【００１７】
図４は、本発明の一実施例における作業者の端末の構成を説明する図である。
作業者の端末５は、ＧＰＳアンテナ４０１より端末位置情報（緯度，経度，標高）データを位置情報受信部４０２で受信する。受信した端末位置情報（緯度，経度，標高）データは、一旦記憶装置４０３に格納した後、記憶装置４０３から端末位置情報（緯度，経度，標高）データを取出し、ファイル形式変換部４０４で本実施例の各種システムが処理できるファイル形式に変換する。その後、ファイル形式を変換した端末位置情報（緯度，経度，標高）データを再度記憶装置４０３に格納し、作業者が必要になった時に、入出力インターフェース４０５、通信ネットワーク４を経由し、全管理システムへ送信する。
【００１８】
図５は、本発明の位置実施例における各システムと作業者の端末間で送受信されるデータを説明する図である。
作業者が端末５を用いてまず情報管理登録システム１へアクセスし、作業者の氏名と連絡先（電話番号，メールアドレス）等の情報を送信し、初期登録を行う。情報管理登録システム１は、送信されてきた初期登録情報のメールアドレスに本登録を実施するためのＵＲＬを送信する。作業者は、送信されてきたＵＲＬにアクセスして、追加の作業者情報、端末情報を入力し、本登録を行う。本登録が完了すると、情報管理登録システム１は、ログインＩＤとパスワードを含むアカウントを発行する。
【００１９】
次に、作業者が作業申請を行う。従来の作業申請は、書面で申請書を提出し、通信事業者に承認をもらう形となっているが、本実施例のシステムでは作業者は端末にインストールしたアプリケーションを使って、情報管理登録システム１に対して作業申請を行う。また、通信事業者（管理者）は、システムを使って作業者から送信されてきた作業申請情報を確認し、承認を行う。作業者は、作業者の端末５に付与されたアカウント情報を使いログインしたのち、対象基地局名、作業内容、作業期間、作業時間、作業者の氏名などの作業申請情報を登録し、通信事業者（管理者）の承認を待つ。通信事業者（管理者）が承認処理を行うと、入局パスワード発行管理システム２より入局パスワードを発行できる旨を作業者端末５へメールで通知される。作業者が端末５に表示された入局パスワードの発行を依頼するボタンを押すと、入局パスワード発行管理システム２は、入局パスワードをランダムに生成、発行し、端末５へ送信するとともに、入局パスワードテーブルを更新し、端末位置情報認証管理システム３へも更新した入局パスワードテーブルを送信する。ただし、この時点では入局パスワードはまだ無線基地局施設の電子暗号錠に設定登録していない。情報管理登録システム１が持つアカウント情報テーブル１２、作業申請情報テーブル１３は、入局パスワード発行管理システム２、端末位置情報認証管理システム３と共有され、同期をとるものとする。また各システムは作業者のアカウント情報の一部と対応づけて情報を管理する。
【００２０】
作業当日、作業者は現場に到着すると、端末位置情報認証管理システム３へログインし、端末の位置情報（現在地位置）をアップデートする。端末位置情報認証管理システム３は、作業登録情報テーブル１３、予め基地局の位置情報を格納してある基地局位置情報テーブル３４に格納された情報と、端末から送信されてきた位置情報の照合を行い、位置情報が一致していれば、作業申請時に決めておいた入局パスワードを該当無線基地局施設の電子暗号錠に送信し、設定登録する。作業者は作業申請承認時に付与された入局パスワードを使い電子暗号錠を解錠して無線基地局施設へ入局する。作業申請時に申請した作業期間が過ぎると、端末位置情報認証管理システム３が入局パスワードを無効化する。
【００２１】
図６は、情報管理登録システムにおける初期登録処理を説明するフローチャートである。
通信事業者（管理者）は、作業者の端末に、事前に各管理システムへアクセスするためのアプリケーションを展開し（Ｓ６０１）、作業者にインストールさせる。各管理システムは、アプリケーションインストール完了通知を受領する（Ｓ６０２）。作業者がアプリケーションを起動し初期登録情報を受信する（Ｓ６０３）。情報管理登録システムは、作業者情報および端末情報の初期登録情報をチェックする（Ｓ６０４）。情報管理登録システム側が自動的に認証を行い、エラーがなければ、アカウントを発行する。エラーがある場合は、再登録を促す。
【００２２】
図７は、端末における作業申請処理を説明するフローチャートである。
作業者が端末にインストールされたアプリケーションを起動し、ログイン画面を表示し（Ｓ７０１）ログインする。ログインが失敗すると（Ｓ７０２）再入力を促す。不正ログイン防止のため、失敗回数の上限を３回とし、それ以上失敗の場合はアカウントをロックし、管理者への連絡をする構成としてもよい。ログインが成功した場合、作業情報登録画面が表示され、作業内容、作業対象基地局名、作業期間等の作業申請情報を登録する（Ｓ７０３）。アプリケーションが入力ミスをチェックし、入力ミスがなければ、情報管理登録システムへ作業申請情報を送信する（Ｓ７０５）。ミスがある場合は、修正・再登録を促す（Ｓ７０４）。
【００２３】
図８は、端末における入局パスワードの発行処理を説明するフローチャートである。
作業者が端末にインストールされたアプリケーションを起動し、ログイン画面を表示し（Ｓ８０１）、ログインする。ログインが失敗すると（Ｓ８０２）再入力を促す。ログインが成功した場合、申請済みの作業申請の承認済案件の確認画面を表示して（Ｓ８０３）確認をし、承認済案件がある場合、「入局パスワード発行ボタン」がアクティブになっており、それを押下する（Ｓ８０５）。 なければ、管理者へ承認依頼を促すボタンを押下する（Ｓ８０６）。
【００２４】
図９は、端末位置情報認証管理システムにおける端末位置情報の認証および入局パスワードの有効化処理を説明するフローチャートである。
工事現場へ到着した作業者が端末にインストールされたアプリケーションを起動し、ログインすると、端末位置情報認証管理システムはログインの認証を行う（Ｓ９０１）。端末位置情報認証管理システムは、ログイン認証結果が不可の場合（Ｓ９０２）再入力を促す。ログイン認証に成功した場合、端末の位置情報を受信する（Ｓ９０３）。端末位置情報認証管理システムは、受信した端末の位置情報と、予め作業申請された無線基地局施設の位置情報（緯度経度）とを照合し（Ｓ９０４）、一致した場合は（Ｓ９０５）、現在の日時が予め申請された作業申請情報の作業期間内であるか確認し（Ｓ９０６）、作業期間内である場合には、入局パスワードを該当無線基地局施設の電子暗号錠に送信し、設定登録する（Ｓ９０７）。受信した端末の位置情報と、予め作業申請された無線基地局施設の位置情報（緯度経度）が一致しなかった場合、または、現在の日時が予め申請された作業申請情報の作業期間内ではない場合は、エラーメッセージを出し終了とする（Ｓ９０８）。なお、作業期間が終了した時点で、端末位置情報認証管理システムは自動的に入局パスワードを無効にする。作業者側が、作業期間の延長や、追加の作業が発生して再入局が必要な場合は、改めて作業申請が必要になる。
【００２５】
図１０は、情報管理登録システムが有する３つのテーブルの一例を説明する図である。
図１０（ａ）作業者端末情報テーブル１１は、例えば、作業者の氏名、所属、電話番号、メールアドレス情報と、携帯端末の機種名および通信事業者（キャリア）名を持ち、情報管理登録システム１が作業者端末情報テーブルの更新と他のシステムへの送信と内容の同期を取っている。
図１０（ｂ）アカウント情報テーブル１２は、例えば、作業者の氏名、所属、電話番号、メールアドレス情報と、情報管理登録システム１が発行するログインＩＤとログインパスワード情報を持ち、情報管理登録システム１がこれらの情報の更新を管理し、他システムへ送信と内容の同期を取っている。
図１０（ｃ）作業申請登録情報１３は、例えば、作業対象の無線基地局施設名、作業時間、作業期間、作業内容等の情報と、作業者氏名、所属、電話番号等の情報を含む。情報管理登録システム１がこれらの情報を管理する。
【００２６】
図１１は、入局パスワード発行管理システムが有する２つのテーブルの一例を説明する図である。
図１１（ａ）アカウント情報テーブル１２は、情報管理登録システム１から送信されたものであり、情報管理登録システム１のアカウント情報テーブルの内容と常に同期をとり、自動更新をリアルタイムで行う。
図１１（ｂ）入局パスワードテーブル２２は、例えば、作業を行う無線基地局施設名、入局パスワード、作業期間、作業時間（入退局時間）、作業者氏名、電話番号、メールアドレス等の情報を持つ。作業情報およびアカウント情報は情報管理登録システム１から送信される。入局パスワード発行管理システム２が入局パスワードを発行すると、作業対象基地局施設名をキーにし、テーブルに入局パスワードを追加、登録されている作業者のメールアドレスへ発行された入局パスワードを送付する。
【００２７】
図１２は、端末位置情報認証管理システムが有する５つのテーブルの一例を説明する図である。
図１２（ａ）入局パスワードテーブル２２は、入局パスワード発行管理システム２から、図１２（ｂ）アカウント情報テーブル１２と図１２（ｃ）作業申請登録情報１３は情報管理登録システム１から送信されてくる。
図１２（ｄ）基地局位置情報テーブル３４は、例えば、無線基地局名と無線基地局の位置情報（緯度、経度）を持ち、通信事業者が予め設定しておき持っている情報である。
図１２（ｅ）端末位置情報テーブル３５は、例えば、作業者氏名、作業者端末の機種名、電話番号、端末の現在の位置情報（緯度、経度）が格納される。端末の位置情報は、作業者が作業現場到着時に、携帯アプリケーションの位置情報送信ボタンを押すことにより送信される。端末位置情報認証管理システム３が端末の位置情報と予め作業申請された無線基地局の位置情報を比較し、一致すれば、入局パスワードを無線基地局施設の入り口に設置された電子暗号錠へ送信し、設定登録する。現在時刻が予め設定された作業申請の作業期間を過ぎると、無線基地局施設の電子暗号錠へ入局パスワードのキャンセル処理を行う。
【００２８】
以上説明した実施例によれば、通信事業者にとり、少ないコストで入局管理システムが作れる一方、鍵を紛失する心配がなくなり、鍵を管理する労力を削減できるというメリットがある。
【００２９】
本発明は、無線基地局施設のみならず、各種施設への入退局管理や、一般の事務所等への入退室管理にも応用可能である。
【符号の説明】
【００３０】
１  情報管理登録システム
２  入局パスワード発行管理システム
３  端末位置情報認証管理システム
４  通信ネットワーク
５  端末
６  電子暗号錠
１０１，２０１，３０１  ＣＰＵ
１０２，２０２，３０２  メモリ
１０３，３０３  ユーザーインターフェース
１０４，２０３，３０４  データベース
１０５，２０４，３０５  通信インターフェース
４０１  ＧＰＳアンテナ
４０２  位置情報受信部
４０３  記憶部
４０４  ファイル形式変換部
４０５  入出力インターフェース
【図１】
2016224577.tif 000003
【図２】
2016224577.tif 000004
【図３】
2016224577.tif 000005
【図４】
2016224577.tif 000006
【図５】
2016224577.tif 000007
【図６】
2016224577.tif 000008
【図７】
2016224577.tif 000009
【図８】
2016224577.tif 000010
【図９】
2016224577.tif 000011
【図１０】
2016224577.tif 000012
【図１１】
2016224577.tif 000013
【図１２】
2016224577.tif 000014